(57)【要約】  【課題】  旅行かばんの提げ手による怪我を防止する。  【解決手段】  吊下部の互いに対向する面の基部で同一軸心上に、弾発ばねを介装した弾発軸を一方の吊下部に設け、他方の吊下部の基部に一端を固着した内筒軸の先端に蓋筒を摺動可能に嵌合して形成した摺動軸を取付けて形成した提げ手と、左右両端の対称位置に、前記提げ手の吊下部にそれぞれ設けた弾発軸と摺動軸をそれぞれ軸支する軸受部を形成し、該軸受部に枢動可能に軸承した提げ手を前記かばん本体に取付ける連結体と、前記連結体の軸受部に軸承した提げ手の弾発軸と摺動軸を下方から保持する軸支部と、前記軸受部の下面を閉口する結合部を有したカバー片とからなり、前記連結体の軸受部に、提げ手の吊下部に設けた弾発軸と、吊下部に設けた摺動軸をそれぞれ枢動可能に軸承し、前記軸受部の下面開口部をカバー片で閉口して取付部材を介してかばん本体に取付けてある。  【選択図】  図３
0003137277.tif 000002
【実用新案登録請求の範囲】
【請求項１】
把手部（６）の両側に吊下部（７、８）を設けてコ字形に形成したかばん用提げ手（５）を、かばん本体（１）に回動可能に取付ける取付構造において、
前記吊下部（７、８）の互いに対向する面の基部（７ａ、８ａ）の同一軸心上に、弾発ばね（１６）を装着する弾発軸（１０）を一方の吊下部（７）に設け、他方の吊下部（８）の基部（８ａ）に固着させた内筒軸（２１）の先端に粘性の高いグリスを介在させて蓋筒（２５）を摺動可能に嵌合した摺動軸（２０）を設けた提げ手（５）と、
前記提げ手（５）の弾発軸（１０）と摺動軸（２０）をそれぞれ軸支する軸受部（３３）を左右両端に設け、該軸受部に回動可能に軸支させて前記かばん本体（１）に取付ける連結体（３２）と、
前記連結体の軸受部（３３）に軸承させる提げ手（５）の弾発軸（１０）および摺動軸（２０）をそれぞれ保持する軸支部（４７）と、前記軸受部（３３）の下面開口部（３４）を閉口する結合部（４８）を有した一対のカバー片（４５）とからなり、
前記連結体の軸受部（３３）に、提げ手の吊下部（７）に設けた弾発軸（１０）および吊下部（８）に設けた摺動軸（２０）を枢動可能に軸支し、前記軸受部（３３）の下面開口部（３４）をカバー片（４５）で閉口して前記連結体（３２）をかばん本体（１）に取付けることを特徴とするかばん用提げ手の取付構造。
【請求項２】
前記提げ手の弾発軸（１０）は、前記連結体の軸受部（３３）の一端に軸承する軸部（１１）と、該軸部の先端に鍔部（１２）を介してばね軸部（１３）を形成し、該ばね軸部に装着する弾発ばね（１６）の一端をばね軸部（１３）に係止し、他端を前記軸受部（３３）内に係止して前記提げ手（５）を一定方向に回動可能に付勢させてなることを特徴とする請求項１記載のかばん用提げ手の取付構造。
【請求項３】
前記提げ手の摺動軸（２０）は、後端を吊下部の基部（８ａ）に固着し、内部一端を閉塞して形成した内壁面の軸心方向に中央にばね止溝（２３）を有したばね受突起（２２）を形成した内筒軸（２１）と、
一端を閉塞した壁面の軸心方向に前記内筒軸のばね受突起（２２）と対向させて中央にばね止溝（２７）を有したばね受突起（２６）を設けた蓋筒（２５）と、
前記内筒軸（２１）内に収容されて一端を前記内筒軸のばね受突起（２２）に係止すると共に、他端を前記内筒軸（２１）に回動可能に嵌合させた蓋筒（２５）のばね受突起（２６）に係止したばね（３０）とからなり、
前記弾発軸（１０）に取付けた弾発ばね（１６）の弾発力で回動する提げ手の回転力を、前記摺動軸の内筒軸（２１）と蓋筒（２５）が摺動する摩擦力で減少させると共に、前記連結体の軸受部（３３）に軸支した提げ手（５）の軸心方向への移動を相殺し、緩やかに回動させるようにしてなることを特徴とする請求項１記載のかばん用提げ手の取付構造。
【請求項４】
前記連結体（３２）の左右両端に設けた軸受部（３３）は、前記提げ手の弾発軸の軸部（１１）と前記摺動軸の内筒軸（２１）が挿通する軸受溝部（３５）をそれぞれ設け、該軸受溝部の内側に前記弾発軸のばね受軸（１３）と前記摺動軸の蓋筒（２５）が挿通し、且つ、前記蓋筒（２５）に設けた係止板（２９）および前記弾発ばね（１６）の他端を係止する係止突起（３８）を有した収容部（３７）をそれぞれ設け、該収容部および前記軸受溝部（３５）の底面に下面開口部（３４）を設けてなることを特徴とする請求項３記載のかばん用提げ手の取付構造。
【請求項５】
前記摺動軸の蓋筒（２５）は、該蓋筒の一部を切り欠いて小孔（２８）を設け、且つ、外周任意箇所に回転防止用の係止板（２９）を取付けてなることを特徴とする請求項４記載のかばん用提げ手の取付構造。
【考案の詳細な説明】
【技術分野】
【０００１】
本考案は、スーツケースや旅行かばんなどに取付けられている提げ手の取付構造に関する。
【背景技術】
【０００２】
従来、スーツケースや旅行かばんなどに取付けられている提げ手は、かばんの上部中央に把手部を設け、該把手部の両側に足部を一体に設けてコ字形に形成されたものが多く使用されている。
【０００３】
この提げ手とかばん本体との取付構造の多くは、かばん本体の連結部と提げ手の両側足部の基部とを連結軸で貫通して提げ手を回動自在に連結してある。したがって、提げ手から手を離すと、通常自重でかばん本体上面の左右いずれかに回動する。このように、提げ手が軸心方向に対して左右いずれかの方向に自由に回動するため、かばんを重ねて運んだり、移動するかばんを傾けた場合に提げ手が外側に回動してかばん本体側から離れて外方に突出したことにより、提げ手が物に引っかかったり、衝突したりするおそれがある。
【０００４】
そこで、旅行かばんの提げ手が自由に回動するのを防止するため、提げ手の左右いずれか片側の足部とかばん本体に取付ける軸受板との間にばねなどで付勢させて不使用時の提げ手をかばん本体側に接合して回動を防止することにより、かばんを押しながら移動中に提げ手がものに引っかかったり、ぶつかったりするのを防止する提げ手の取付構造を有するものが知られている（例えば、特許文献１、２）。
【特許文献１】登録実用新案第３０６１２７１号
【特許文献２】登録実用新案第３０４０６０５号
【０００５】
しかし、旅行かばんの上部に取付けた提げ手を、ばねで一方向に強制的に回動させた場合、ばねの弾発力が強いため、提げ手を離すときの回転が速いため、お年寄や子供などがかばん本体と提げ手の間に指を挟まれることがある。
【０００６】
さらに、子供などが提げ手に指を挟んで怪我をしたり、爪を長く伸ばした女性などが、復帰回転の反動などで爪を挟んだり傷つけたり、さらに、把手部がかばん本体の上面に勢いよく衝突して騒音を発生するなどの問題点を有している。
【考案の開示】
【考案が解決しようとする課題】
【０００７】
本考案が解決しようとする課題は、旅行かばんの提げ手に簡単な構造で安価な回転機構を取付け、提げ手から手を離したときにゆっくり回転させることにより、かばんと提げ手との間に指や爪を挟んで指などを傷つけたり、爪を破損させたりするのを防止することを目的とする。
【課題を解決するための手段】
【０００８】
上記課題を解決するために、本考案は、把手部６の両側に吊下部７、８を設けてコ字形に形成したかばん用提げ手５を、かばん本体１に回動可能に取付ける取付構造において、前記吊下部７、８の互いに対向する面の基部７ａ、８ａの同一軸心上に、弾発ばね１６を装着する弾発軸１０を一方の吊下部７に設け、他方の吊下部８の基部８ａに固着させた内筒軸２１の先端に粘性の高いグリスを介在させて蓋筒２５を摺動且つ回動可能に嵌合した摺動軸２０を設けた提げ手５と、前記提げ手５の弾発軸１０と摺動軸２０をそれぞれ軸支する軸受部３３を左右両端に設け、該軸受部に回動可能に軸支させて前記かばん本体１に取付ける連結体３２と、前記連結体３２の軸受部３３に軸承させる提げ手５の弾発軸１０および摺動軸２０をそれぞれ保持する軸支部４７と、前記軸受部３３の下面開口部３４を閉口する結合部４８を有した一対のカバー片４５とからなり、前記連結体３３の軸受部３２に、提げ手５の吊下部７に設けた弾発軸１０および吊下部８に設けた摺動軸２０を枢動可能に軸支し、前記軸受部３３の下面開口部３４をカバー片４５で閉口して前記連結体３２をかばん本体１に取付けることを特徴とする。また、前記提げ手５の弾発軸１０は、前記連結体３２の軸受部３３の一端に軸承する軸部１１と、該軸部の先端に鍔部１２を介してばね軸部１３を形成し、該ばね軸部に装着する弾発ばね１６の一端をばね軸部１３に係止し、他端を前記軸受部３３内に係止して前記提げ手５を一定方向に回動可能に付勢させてなることを特徴とする。さらに、前記提げ手の摺動軸２０は、後端を吊下部８の基部８ａに固着し、内部一端を閉塞して形成した内壁面の軸心方向に中央にばね止溝２３を有したばね受突起２２を形成した内筒軸２１と、一端を閉塞した壁面の軸心方向に、前記内筒軸２１のばね受突起２２と対向させて中央にばね止溝２７を有したばね受突起２６を設けた蓋筒２５と、前記内筒軸２１内に収容されて一端を前記内筒軸２１のばね受突起２２に係止すると共に、他端を前記内筒軸２１に回動可能に嵌合させた蓋筒２５のばね受突起２６に係止したばね３０とからなり、前記弾発軸１０に取付けた弾発ばね１６の弾発力で回動する提げ手の回転力を、前記摺動軸の内筒軸２１と蓋筒２５が摺動する摩擦力で減少させると共に、前記連結体の軸受部３３に軸支した提げ手５の軸心方向への移動を相殺し、緩やかに復帰回動させるようにしてなることを特徴とする。また、前記連結体３２の左右両端に設けた軸受部３３は、前記提げ手５の弾発軸１０の軸部１１と摺動軸２０の内筒軸２１が挿通する軸受溝部３５をそれぞれ設け、該軸受溝部の内側に前記弾発軸１０のばね受軸１３と摺動軸２０の蓋筒２５が挿通し、且つ、前記蓋筒２５に設けた係止板２９および前記羽の他端を係止する係止突起３８を有した収容部３７をそれぞれ設け、該収容部３７および前記軸受溝部３５の底面に下面開口部３４を設けてなることを特徴とする。さらにまた、前記摺動軸の蓋筒２５は、該蓋筒の一部を切り欠いて小孔２８を設け、且つ、外周任意箇所に回転防止用の係止板２９を取付けてなることを特徴とする。
【０００９】
したがって、旅行かばんの提げ手から手を離すと、提げ手５は弾発軸１０に装着した弾発ばね１６の弾発力によって一方、即ち元の方向へ回動するが、他方の摺動軸２０は、内筒軸２１と蓋筒２５との摩擦抵抗によって前記弾発ばね１６の弾発力を弱めてゆっくり回動させることにより、子供や女子などが回転する提げ手に指や爪を挟んだりして傷つけるのを防止すると共に、把手部が着座する際の騒音の発生を防止することができる。
【考案を実施するための最良の形態】
【００１０】
本考案の実施形態を図面に基づいて説明すると、図１は本考案に係るかばん本体に装着した提げ手の正面図、図２は提げ手が回動する状態を示す側面図、図３は提げ手の取付構造の分解図、図４は提げ手の吊下部に設けた弾発軸の要部拡大図、図５は提げ手の吊下部に設けた摺動軸の分解断面図、図６は蓋筒の正面図、図７は連結体の側面図、図８は図７のＡ―Ａ断面図、図９はカバー片の側面図、図１０は図９のＢ―Ｂ断面図、図１１は提げ手の吊下部に設けた弾発軸の軸支状態を示す要部拡大断面図、図１２は提げ手の吊下部に設けた摺動軸の軸支状態を示す要部拡大断面図である。
かばん用提げ手の取付構造は、図１に示すごとく、旅行かばん本体１の上面中央に設ける取付部材２に、左右両端にそれぞれカバー片４５を取付けた連結体３２をボルトで固着し、該連結体を介して提げ手５を回動可能に取付けてある。
【００１１】
前記提げ手５は、図１、３に示すごとく、水平方向中央に把手部６を設け、該把手部の両側垂直方向に一対の吊下部７、８を一体にしてコ字形に形成し、前記吊下部７、８の基部７ａ、８ａで、互いに対向する面の一方の吊下部７ａに弾発軸１０を設け、他方の吊下部８ａに摺動軸２０をそれぞれ同一軸心上に設けてある。
【００１２】
前記弾発軸１０は、図４に示すごとく、前記吊下部７の基部７ａには前記連結体３２の軸受部３３の端面に軸支する軸部１１と、該軸部の先端にやや大径な鍔部１２を介してばね軸部１３を一体に形成し、該ばね軸部１３の先端中心に軸心方向にスリット１４を設けてある。
【００１３】
１６は弾発ばねで、一端を直径方向に折り曲げて止片１６ａを形成し、他端を周方向に突出させてコ字型に折り曲げて掛止片１６ｂを設け、該弾発ばねの一端に設けた止片１６ａを前記スリット１４に掛止して前記ばね軸部１３の周面に装着して一端を鍔部１２に当接させ、また、該弾発ばねの他端１６ｂを前記連結体の軸受部３３の内部に設けた収容部３７内に設けた係止突起３８に係止し、前記提げ手５を一定方向に回動可能に付勢させるようにしてある。
【００１４】
前記摺動軸２０は、図５に示すごとく、前記吊下部８の基部８ａに後端を固着させた内筒軸２１と、該内筒軸の先端外周に回動可能に嵌合させる蓋筒２５と、該蓋筒と前記内筒軸との間に収容したばね３０とにより構成してある。
【００１５】
図５において、前記内筒軸２１は、内部を閉塞して形成した内壁面の中心軸心方向にばね受突起２２を設け、該ばね受突起の先端中央にばね溝部２３を形成してある。前記蓋筒２５は、一端を閉塞して形成した内壁面の中心軸心方向に、前記内筒軸２１のばね受突起２２と対向させてばね受突起２６を形成し、該ばね受突起の先端中央にばね溝部２７を設けてある。
【００１６】
さらに、前記蓋筒２５の壁面端部を切り欠いて外部に連通する小孔２８形成し、蓋筒２５を内筒軸２１の外側に嵌合した際、内筒軸２１の内の空気を給排気して蓋筒２５の摺動回転を円滑に行えるようにしてある。２９は該蓋筒２５の外周接線方向に中間部を固着させた安定板で、前記連結体３２の軸受部３３の収容部３７の内面に設けた係止突起３８に掛止させて、該収容部内に収容された蓋筒２５の回転を防止している。この係止突起３８は、連結体３２の両端に設けて軸受部３３の内部に設けた収容部３７内面の対称位置に設けてある。
【００１７】
前記ばね３０は、前記内筒軸２１及び蓋筒２５内に収容され、該ばね３０の一端を直径方向に折り曲げて設けた止片３０ａを該内筒軸のばね受突起２２のばね溝部２３に係止し、他端を同じく直径方向に折り曲げて設けた止片３０ｂを前記蓋筒２５のばね受突起２６のばね溝部２７に係止して回動される蓋筒２５を復帰回動するように付勢し、連結体３２に固定した蓋筒２５内に突出されている内筒部２１の摺動回転が把手部６と共に緩やかに回動する。
【００１８】
また、前記ばね３０を収容した内筒軸２１の外周面に粘性の高いグリスを塗付することにより、連結体３２に固定された蓋体２５内に嵌合した内筒軸２１の摺動回転および軸心方向への摺動を緩やかになるようにしてある。このばね３０は、把手部６の両側に設けた吊下部７、８に設けた軸発部１０と、摺動軸２０と連結体３２の両端に設けた軸受部３３、３３との間の「遊び」を解消して軸方向へのガタ付を防ぐため、軸心方向、即ちかばん本体に取付けた軸受部３２に、把手部６を水平方向に弾発して取り付けてある。
【００１９】
したがって、提げ手５を保持するために回動させて上方に回動させながら立ち上げると、前記弾発軸１０に取付けた弾発ばね１６は巻き締められて復帰用の弾発力が発生し、ついで、提げ手５から手を離して復帰回動する提げ手５の回動力は、この摺動軸２０の内筒軸２１と蓋筒２５との間の摩擦力および蓋筒２５と内筒軸２１との間に介在させたばね３０の力によって減少させて弾発力を相殺することにより緩やかに復帰回動する。
【００２０】
図７、８に示すように、前記連結体３２は、前記提げ手５の弾発軸１０と摺動軸２０を軸支する軸受部３３を左右両端に設けてあり、該軸受部の底面に前記弾発軸１０および摺動軸２０が挿通できる下面開口部３４をそれぞれ設けてある。
【００２１】
前記軸受部３３の端部内側に、前記弾発軸１０の軸部１１と摺動軸２０の内筒軸２１とが挿通する軸受溝部３５をそれぞれ設け、該軸受溝部の内側には前記弾発軸１０のばね軸部１３と、摺動軸２０の蓋筒２５とが挿通する収容部３７をそれぞれ設けてある。
【００２２】
前記軸受溝部３５の下方には、前記カバー片４５の結合部４８と嵌合する係止段部３６を設け、収容部３７の内面の任意箇所に前記弾発ばね１６の他端１６ｂおよび蓋筒２５の係止板２９を係止する係止突起３８を設けてある。４０は軸受部３３の下面に設けたねじ孔で、前記収容部３７のそれぞれ内側に位置して設けてあり、取付部材２を介してかばん本体１に提げ手５を取付けた連結体３２をねじ４２で固定する。
【００２３】
前記カバー片４５は、前記連結体３２の左右両側に設けた軸受部３３の下面開口部３４に取付けるもので、図９、１０に示すごとく、略中央に前記提げ手５の吊下部７、８の基部７ａ、８ａの回動を保護するガイド凹部４６と、該ガイド凹部の一端垂直方向に、前記連結体３２の軸受溝部３５に挿通して弾発軸１０と摺動軸２０をそれぞれ下方から支持する軸支部４７と、該軸支部の一側に前記軸受部３３の下面に設けた開口部３４に嵌合して閉口する結合部４８をそれぞれ一体に形成してある。
【００２４】
以下、本考案の実施形態の作用について説明すると、かばん本体１に提げ手５を取付ける場合、あらかじめ提げ手５の弾発軸１０には、該弾発軸のばね軸部１３に介装した弾発ばね１６の一端１６ａをばね軸部１３のスリット１４に係止し、他端１６ｂは軸受部３３の収容部３７に設けた係止突起３８に係止してある。さらに、摺動軸２０は内筒軸２１内に収容したばね３０の一端３６ａを該内筒軸のばね受突起２２のばね溝部２３に係止し、他端３６ｂを蓋筒２５のばね受突起２６のばね溝部２７に係止して連結体３２の軸受部３３内に取り付けた蓋筒２５に内筒軸２１を回動可能に嵌合してある。
【００２５】
この摺動軸２０は、内筒軸２１内と外周面にそれぞれ粘着性の高いグリスを塗付してあるため、蓋筒２５の内部に嵌合させた内筒軸２１の摺動回転を緩やかにし、また、連結体３２の両端に取付けた把手部６の軸心方向への摺動、即ち、該把手部の左右方向へのガタ付は、該ばね３０の軸心方向への弾発力によって吸収除去すると共に、グリスの粘性による摩擦抵抗で緩やかになる。
【００２６】
次いで、提げ手５の弾発軸１０と摺動軸２０をそれぞれ連結体３２の下面開口部３４から挿入し、前記弾発軸１０は、図１１に示す如く、軸部１１を軸受部３３の軸受溝部３５に挿通し、鍔部１２と弾発ばね１６を介装したばね軸部１３を収容部３７に挿通する。収容部３７に位置した弾発ばね１６は、一側を鍔部１２に、他側を収容部３７の壁面に当接されるのでばね軸部１３が軸方向へ多少移動してもばね軸部から外れるおそれはない。さらに収容部３７に内に収容された弾発ばね１６は、一端１６ａをばね軸部１３のスリット１４に係止し、他端１６ｂを提げ手５が一定方向に回動するように付勢力を高めて収容部３７の内壁または下部に係止させてある。
【００２７】
摺動軸２０は、図１２に示す如く、把手部６の吊下部８に後部を固着した内筒軸２１を軸受部３３の軸受溝部３５に挿通し、蓋筒２５を軸受溝部３５の内側に設けた収容部３７に収容してある。この際、蓋筒２５はばね３０の弾発力で前記弾発軸１０方向に付勢され、また、蓋筒２５を固定筒軸２１方向に押圧しながら内筒軸２１に挿通してある。この蓋筒２５を軸受溝部３５の内側に設けた軸方向に押圧するときに内筒軸２１内の空気は蓋筒２５の小孔２８から外部に排出されるので容易に押し込むことができ、また、外部から蓋筒に設けた小孔２８から蓋筒内に空気は流入できる。さらに、軸受部３２の両端に取り付けた提げ手５が左右方向に移動できる嵌めあい隙間を有していても、該ばね３０の弾発力により左右方向への移動によりガタ付を防止して該把手部をスムーズに回動することができるようにしてある。
【００２８】
連結体３２の両端に設けた軸受部３３、３３に、弾発軸１０と摺動軸２０をそれぞれ軸支させた後、軸受部３３の開口部３４にカバー片４５を装着する。カバー片４５は、軸支部４７を軸受溝部３５に挿通した弾発軸１０と摺動軸２０を下方から軸支し、結合部４８を下面開口部３４に嵌合すると共に、軸受溝部３５の係止段部３６に係止して装着する。
【００２９】
次いで、下面開口部３４をカバー片４５で閉口した連結体３２をかばん本体１の取付部材２の所定位置に設置した後、取付部材２の裏側からねじ４２で連結体３２のねじ孔４０へ螺合して取付部材２に固定して取付けることができる。
【００３０】
かばん本体１に取付けられた提げ手５は、弾発軸１０に取付けた弾発ばね１６の付勢によってかばん本体１に当接され、かばん本体１を持ち運ぶときに提げ手５の把手部６を握って持ち上げると、提げ手５は上方に回動する。
【００３１】
かばん本体１を床などに置いて提げ手５から手を離すと、提げ手５は弾発軸１０に装着して巻き締められた弾発ばね１６の弾発力によって復帰方向に勢いよく回動しようとするが、摺動軸２０の内筒軸２１内に収容されたばね３０と、該内筒軸の外周面に嵌合した蓋筒２５との摩擦抵抗によって、弾発ばね１６の弾発力を相殺しながら内筒軸２１の回動を遅くし、提げ手５の復帰のための回動を緩やかにして、図２に一点鎖線で示すように元の位置に静かに且つゆっくりと回動して戻ることができる。
【００３２】
本考案は、旅行かばんの提げ手５から手を離したとき、提げ手５はゆっくり回転するので、旅行かばんの運搬者、特に子供や女子などが回転する提げ手５に指や爪を挟んだりして傷つけるのを防止し、さらに、提げ手５をゆっくり当接させることにより騒音の発生を防止することができる利点を有するものである。
【図面の簡単な説明】
【００３３】
【図１】本考案にかかるかばん本体に装着した提げ手の正面図である。
【図２】提げ手が回動する状態を示す側面図である。
【図３】提げ手の取付構造の分解図である。
【図４】提げ手の吊下部に設けた弾発軸の要部拡大図である。
【図５】提げ手の吊下部に設けた摺動軸の分解断面図である。
【図６】蓋筒の正面図である。
【図７】連結体の側面図である。
【図８】図７のＡ―Ａ断面図である。
【図９】カバー片の側面図である。
【図１０】図９のＢ―Ｂ断面図である。
【図１１】提げ手の吊下部に設けた弾発軸の軸支状態を示す要部拡大断面図である。
【図１２】提げ手の吊下部に設けた摺動軸の軸支状態を示す要部拡大断面図である。
【符号の説明】
【００３４】
１    かばん本体
２    取付部材
５    提げ手
６    把手部
７    吊下部
８    吊下部
１０  弾発軸
１１  軸部
１２  鍔部
１３  ばね軸部
１６  弾発ばね
２０  摺動軸
２１  内筒軸
２２  ばね受突起
２５  蓋筒
２６  ばね受突起
２８  小孔
２９  係止板
３０  ばね
３２  連結体
３３  軸受部
３４  開口部
３５  軸受溝部
３７  収容部
３８  係止突起
４０  ねじ孔
４５  カバー片
４６  ガイド凹部
４７  軸支部
４８  結合部
【図１】
0003137277.tif 000003
【図２】
0003137277.tif 000004
【図３】
0003137277.tif 000005
【図４】
0003137277.tif 000006
【図５】
0003137277.tif 000007
【図６】
0003137277.tif 000008
【図７】
0003137277.tif 000009
【図８】
0003137277.tif 000010
【図９】
0003137277.tif 000011
【図１０】
0003137277.tif 000012
【図１１】
0003137277.tif 000013
【図１２】
0003137277.tif 000014